(57)【特許請求の範囲】
【請求項１】
表示手段と、
オーディオデータの時間軸圧縮伸張を指示する圧縮伸張指示手段と、
前記圧縮伸張指示手段の指示に基づき前記オーディオデータに時間軸圧縮伸張を施す圧縮伸張手段と、
前記オーディオデータの時間軸圧縮伸張に関するデータを記憶する記憶手段と、
前記記憶手段に記憶された前記データに基づいて時間軸圧縮伸張が施されたオーディオデータを示す第１の表示図形と前記オーディオデータを示す第２の表示図形を作成し、前記第１の表示図形に重ねて前記第２の表示図形を前記表示手段に表示する制御を行う制御手段とを備えることを特徴とするオーディオデータ編集装置。
【請求項２】
請求項１記載のオーディオデータ編集装置において、
前記制御手段は、編集位置を指定するカーソルを前記表示手段に表示し、前記第１の表示図形上に前記カーソルが位置したとき、前記第２の表示図形を作成し、前記第１の表示図形に重ねて前記第２の表示図形を前記表示手段に表示する制御を行うことを特徴とするオーディオデータ編集装置。
【請求項３】
請求項１または請求項２記載のオーディオデータ編集装置において、
前記制御手段は、前記第１の表示図形と前記第２の表示図形を異なる色として前記表示手段に表示する制御を行うことを特徴とするオーディオデータ編集装置。
【請求項４】
請求項１乃至請求項３のいずれか１項に記載のオーディオデータ編集装置において、
前記表示手段への前記第２の表示図形の表示・非表示を前記制御手段に指示する切換手段を備えることを特徴とするオーディオデータ編集装置。
【請求項５】
請求項１乃至請求項４のいずれか１項に記載のオーディオデータ編集装置において、
前記制御手段は、前記オーディオデータが時間軸圧縮されたオーディオデータを示す第１の表示図形の場合、前記第１の図形の時間軸を前記オーディオデータを示す第２の表示図形の時間軸よりも短くして前記表示手段に表示し、前記オーディオデータが時間軸伸張されたオーディオデータを示す第１の表示図形の場合、前記第１の表示図形の時間軸を前記オーディオデータを示す第２の表示図形の時間軸よりも長くして前記表示手段に表示する制御を行うことを特徴とするオーディオデータ編集装置。
【発明の詳細な説明】
【０００１】
【発明の属する技術分野】
本発明は、オーディオデータの編集をするオーディオデータ編集装置に関する。
【０００２】
【従来の技術】
音声、楽曲及び効果音等のオーディオデータを用い、当該オーディオデータの編集を行うことができるディジタル式のオーディオデータ編集装置がある。
【０００３】
従来のオーディオデータ編集装置は、ディスプレイ上に編集画面を表示し、当該編集画面にオーディオデータをテイクと呼ばれる２つの無音部分に挟まれた単位毎に表示することができる。オーディオデータ編集装置は、各テイクのオーディオデータを、開始時間から終了時間までを表す四角形の表示図形としてディスプレイ上に表示することができる。なお、必要に応じて切換ボタン等によりオーディオデータを波形表示することも可能である。
【０００４】
オーディオデータ編集装置は、操作部からの操作により、ディスプレイ上に表示されたカーソル等で表示図形の任意の部分を指定し、当該任意の部分のオーディオデータに対して、切り取り、移動、貼り付け、フェードイン又はフェードアウト、時間軸反転及び時間軸圧縮伸張（音程を変えずに時間軸を伸ばしたり縮めたりする処理）等の編集を施す。
【０００５】
【発明が解決しようとする課題】
従来のオーディオデータ編集装置における表示においては、各テイクのオーディオデータについて時間軸圧縮伸張が施されているか否かを一目で確認することが困難であった。
【０００６】
各テイクのオーディオデータについて時間軸圧縮伸張が施されているか否かを確認するためには、確認したいテイクをカーソルによって選択し、時間軸圧縮伸張処理に関するデータを表示させる別の画面を開くという操作を行うために、編集に時間がかかっていた。
【０００７】
本発明は、上記課題を解決するためになされたものであり、簡単な操作でオーディオデータについて時間軸圧縮伸張が施されているか否かを容易に確認することができるオーディオデータ編集装置を提供することを目的としている。
【０００８】
【課題を解決するための手段】
上記課題を解決するために本願の請求項１記載の発明は、表示手段と、オーディオデータの時間軸圧縮伸張を指示する圧縮伸張指示手段と、前記圧縮伸張指示手段の指示に基づき前記オーディオデータに時間軸圧縮伸張を施す圧縮伸張手段と、前記オーディオデータの時間軸圧縮伸張に関するデータを記憶する記憶手段と、前記記憶手段に記憶された前記データに基づいて時間軸圧縮伸張が施された前記オーディオデータを示す第１の表示図形と前記オーディオデータを示す第２の表示図形を作成し、前記第１の表示図形に重ねて前記第２の表示図形を前記表示手段に表示する制御を行う制御手段とを備えることを特徴とする。
【０００９】
本願の請求項２記載の発明は、
請求項１記載のオーディオデータ編集装置において、
前記制御手段は、編集位置を指定するカーソルを前記表示手段に表示し、前記第１の表示図形上に前記カーソルが位置したとき、前記第２の表示図形を作成し、前記第１の表示図形に重ねて前記第２の表示図形を前記表示手段に表示する制御を行うことを特徴とする。
【００１０】
本願の請求項３記載の発明は、
請求項１または請求項２記載のオーディオデータ編集装置において、
前記制御手段は、前記第１の表示図形と前記第２の表示図形を異なる色として前記表示手段に表示する制御を行うことを特徴とする。
【００１１】
本願の請求項４記載の発明は、請求項１乃至請求項３のいずれか１項に記載のオーディオデータ編集装置において、前記表示手段への前記第２の表示図形の表示・非表示を前記制御手段に指示する切換手段を備えることを特徴とする。また、本願の請求項５記載の発明は、請求項１乃至請求項４のいずれか１項に記載のオーディオデータ編集装置において、前記制御手段は、前記オーディオデータが時間軸圧縮されたオーディオデータを示す第１の表示図形の場合、前記第１の表示図形の時間軸を前記オーディオデータを示す第２の表示図形の時間軸よりも短くして前記表示手段に表示し、前記オーディオデータが時間軸伸張されたオーディオデータを示す第１の表示図形の場合、前記第１の表示図形の時間軸を前記オーディオデータを示す第２の表示図形の時間軸よりも長くして前記表示手段に表示する制御を行うことを特徴とする。
【００１２】
【発明の実施の形態】
以下、本発明の実施例について図面を参照して説明する。図１は、本発明のオーディオデータ編集装置の一実施例の要部構成を示す図である。図中、１０１は操作部、１０２は制御部、１０３は編集部、１０４はプレーヤ、１０５はレコーダ、１０６はハードディスクドライブ（ＨＤＤ：Ｈａｒｄ  Ｄｉｓｃ  Ｄｒｉｖｅ）、１０７はＤＳＰ（Ｄｉｇｉｔａｌ  Ｓｉｇｎａｌ  Ｐｒｏｃｅｓｓｏｒ）処理部、１０８はＲＡＭ（Ｒａｎｄｏｍ  Ａｃｃｅｓｓ  Ｍｅｍｏｒｙ）、１０９はバス、１１０は表示部、１１１は切換スイッチ、１１２は圧縮伸張指示部、１１３は圧縮伸張部である。
【００１３】
制御部１０２は、ＣＰＵ（Ｃｅｎｔｒａｌ  Ｐｒｏｃｅｓｓｉｎｇ  Ｕｎｉｔ）を備え、後述する各部の制御を行う。プレーヤ１０４はオーディオデータが記録されている記録媒体を再生する再生装置であり、プレーヤ１０４としては、光磁気ディスクを再生する光磁気ディスクプレーヤ、オーディオテープを再生するテープレコーダ、コンパクトディスク（ＣＤ：Ｃｏｍｐａｃｔ  Ｄｉｓｃ）を再生するＣＤプレーヤ等を用いることができる。
【００１４】
プレーヤ１０４により再生されたオーディオデータは、編集部１０３によってフィルタリング、クロスフェード、音量調整及び時間軸圧縮伸張等の信号処理が施された後、レコーダ１０５に装着されている記録媒体にファイル化されて記録されるか、若しくはＨＤＤ１０６にファイル化されて記録される。
【００１５】
編集部１０３は、ＤＳＰ処理部１０７及びワークメモリとしてのＲＡＭ１０８を備え、プレーヤ１０４から入力された又はレコーダ１０５若しくはＨＤＤ１０６に記録されたオーディオデータは、操作部１０１からバス１０９を介して入力された編集指示信号に基づきＤＳＰ処理部１０７によって編集が施される。このとき、制御部１０２はオーディオデータの編集状態を示す編集リストを作成し、内蔵するメモリに記憶する。
【００１６】
ここで、編集リストとは、オーディオデータの記録及び編集等を行った際に、その内容（作成したファイル名、記録（編集）開始時間、記録（編集）終了時間、編集内容等）が逐一登録される履歴リストである。
【００１７】
編集部１０３により編集が施されたオーディオデータは、レコーダ１０５に装着されている記録媒体に記録される。レコーダ１０５としては、光磁気ディスクを記録再生する光磁気ディスクレコーダ、オーディオテープを記録再生するテーレコーダ、ＤＶＤ−ＲＡＭ（Ｄｉｇｉｔａｌ  Ｖｅｒｓａｔｉｌｅ  Ｄｉｓｃ−Ｒａｎｄｏｍ  Ａｃｃｅｓｓ  Ｍｅｍｏｒｙ）を記録再生するＤＶＤ−ＲＡＭレコーダ等を用いることができる。
【００１８】
表示部１１０は、編集リストやファイル名等の表示の他に、オーディオデータの波形、エンベロープ又はオーディオデータの開始から終了までを表す四角形の表示図形等を表示する。オーディオデータの編集は、表示部１１０に表示されたオーディオデータの波形、エンベロープ又はオーディオデータの開始から終了までを表す四角形の表示図明等を見ながら操作部１０１から編集指示を入力することにより行われる。
【００１９】
本実施例のオーディオデータ編集装置は、操作部１０１に圧縮伸張指示部１１２及び切換スイッチ１１１を備えている。また、ＤＳＰ処理部１０７の内部に圧縮伸張部１１３を備えている。プレーヤ１０４から入力された又はレコーダ１０５若しくはＨＤＤ１０６に記録され読み出されたオーディオデータは、圧縮伸張指示部１１２からバス１０９を介して入力された指示信号に基づきＤＳＰ処理部１０７の圧縮伸張部１１３によって時間軸圧縮伸張が施される。このとき、制御部１０２は、オーディオデータの時間軸圧縮伸張に関するデータを作成し、前述した編集リストに記録し、内蔵するメモリに記憶する。
【００２０】
切換スイッチ１１３は、後述するように、通常の表示モード（時間軸圧縮伸張が施されているオーディオデータは時間軸圧縮が施された状態で表示し、時間軸圧縮伸張が施されていないオーディオデータはその状態で表示する表示モード）と、時間軸圧縮伸張前後のオーディオデータを表示させる同時表示モードを切り換える手段である。
【００２１】
次に、本実施例のオーディオデータ編集装置によりオーディオデータに時間軸圧縮伸張を施す方法を説明する。まず、操作部１０１の操作により、表示部１１０に表示された編集リストを基に、編集対象のオーディオデータのファイルが選択される。当該ファイルには、複数のテイクのオーディオデータが記録されているものとする。制御部１０２は、操作部１０１からの指示信号に基づき、レコーダ１０５又はＨＤＤ１０６に記録されているオーディオデータのファイルを読み出し、当該ファイルのオーディオデータを後述するカーソルと共に表示部１１０に表示させる。制御部１０２は、編集リストに基づき、オーディオデータの波形または各テイクのオーディオデータの開始から終了までを示す四角形の表示図形を作成する。また、制御部１０２は、カーソルの位置も制御する。
【００２２】
表示部１１０は、選択されたファイルのオーディオデータを表示する。表示部１１０の縦軸はオーディオデータの音量を示し、横軸はオーディオデータの時間を示す。このとき、各テイクのオーディオデータの開始から終了までを示す四角形の表示図形を表示部１１０に表示させることもできる。こうすることにより、どの時間にどのような長さのテイクが記録されているかを視覚的に把握し易く表示することができる。
【００２３】
操作部１０１の図示しないジョグダイヤルの操作に応じて、表示部１１０に表示されている各テイクの表示図形がスクロールされ、時間軸圧縮伸張を施すオーディオデータのテイクが検索される。表示部１１０に表示されたカーソルにより時間軸圧縮伸張が施されるテイクを示す表示図形が選択される。操作部１０１の圧縮伸張指示部１１２から、選択したテイクの圧縮伸張率が指示される。
【００２４】
圧縮伸張指示部１１２からの圧縮伸張率の指示方法としては、例えば、選択されたテイクのオーディオデータの録音時のデータ量を１００％とし、これに対して７０％にデータ量を圧縮する、または、１２５％にデータ量を伸張するという指示方法でもよいし、選択したテイクのオーディオデータの開始から終了までの時間（例えば、３分００秒）を１００％とし、時間（例えば、２分４５秒又は３分３０秒）を入力することによって時間の比率から圧縮伸張率を演算して時間軸圧縮伸張処理を施すようにしてもよい。
【００２５】
ここで、データ量を圧縮する処理とは、元のオーディオデータから圧縮率に応じた比率によって決定されたサンプル間隔毎にデータを間引く処理等をいう。また、データ量を伸張する処理とは、元のオーディオデータから伸張率に応じた比率によって決定されたサンプル間隔毎に、元のオーディオデータを用いて予測生成したデータを補間する処理等をいう。
【００２６】
制御部１０２は、圧縮伸張指示部１１２から送出された指示信号に基づいて圧縮伸張部１１３を制御し、オーディオデータに時間軸圧縮伸張を施す。また、制御部１０２は、時間軸圧縮伸張の内容を編集リストに登録し、内部メモリに記憶すると共に、編集リストに従って時間軸圧縮伸張されたオーディオデータを表示部１１０に表示させる。
【００２７】
以上のような操作が繰り返され、本実施例のオーディオデータ編集装置は、選択されたファイルのオーディオデータの編集を行う。編集後、編集されたファイルのオーディオデータは、再度、最初から再生され、編集内容が確認される。このとき、操作部１０１の切換スイッチ１１１により、通常表示モード又は同時表示モードが選択される。
【００２８】
以下、時間軸圧縮伸張前後のオーディオデータが同時に表示される同時表示モードが選択された場合の表示部におけるオーディオデータの表示について説明する。図２は、本実施例のオーディオデータ編集装置において同時表示モードが選択されたときの表示部に表示される編集画面の表示を説明するための図である。図中、２０１は編集画面、２０２はオーディオデータ表示部、２０３は時間表示窓、２０４は表示図形、２０５は時間軸圧縮前のオーディオデータを示す表示図形、２０６は時間軸圧縮後のオーディオデータを示す表示図形、２０７は時間軸伸張後のオーディオデータを示す表示図形、２０８は時間軸伸張前のオーディオデータを示す表示図形、２０９はカーソルである。
【００２９】
本実施例のオーディオデータ編集装置の表示部１１０には、編集画面２０１が表示される。編集画面２０１には、オーディオデータ表示部２０２、時間軸表示窓２０３及びカーソル２０９が表示される。オーディオデータ表示部２０２の横軸は時間軸であり、縦軸はオーディオデータの音量を示す。
【００３０】
オーディオデータ表示部２０２には、編集者が選択したファイルのオーディオデータが表示され、テイクの開始と終了を示す四角形の表示図形２０４が複数並んで表示される。オーディオデータ表示部２０２に表示される表示図形２０４は、時間軸圧縮伸張が施されているものは時間軸圧縮伸張後のオーディオデータを示す表示図形、時間軸圧縮伸張が施されていないオーディオデータはそれを示す表示図形となる。
【００３１】
これらの表示図形２０４は、操作部１０１の図示しないジョグダイヤルの操作に応じて、時間軸方向にスクロールされる。また、カーソル２０９も、操作部１０１からの操作によりオーディオデータ表示部２０２の範囲内で時間軸方向に移動することができる。
【００３２】
時間表示窓２０３は、オーディオデータ表示部２０２においてカーソル２０９が位置している部分の時間（オーディオデータの先頭部分からの時間）を表示する。図２（ａ）及び（ｂ）では、カーソル２０９が、オーディオデータの先頭部分から１時間３０分１秒５５フレームの時間に位置していることを示している。
【００３３】
図２（ａ）は、オーディオデータ表示部２０２に表示されている表示図形２０４のうち、オーディオデータの先頭からの時間が１時間３０分１秒５５フレーム付近にある表示図形が示すオーディオデータに時間軸圧縮が施され、当該表示図形上にカーソル２０９が位置した場合の表示を示す。図２（ａ）に示すように、オーディオデータの先頭からの時間が１時間３０分１秒５５フレーム付近にある表示図形（時間軸圧縮後のオーディオデータを示す表示図形２０６）上にカーソル２０９が位置すると、制御部１０２は内蔵するメモリに記憶した当該表示図形が示すテイクのオーディオデータの編集リストを参照し、既に表示されていた時間軸圧縮後のオーディオデータを示す表示図形２０６と共に、時間軸圧縮前のオーディオデータを示す表示図形２０５を同時に表示させる。
【００３４】
このとき、時間軸圧縮前のオーディオデータを示す表示図形２０５の色又は模様を、時間軸圧縮後のオーディオデータを示す表示図形２０６の色又は模様と異なって表示させることにより、時間軸圧縮前のオーディオデータを示す表示図形２０５を認識し易くすることができる。
【００３５】
図２（ａ）では、時間軸圧縮後のオーディオデータを示す表示図形２０６を白色、時間軸圧縮前のオーディオデータを示す表示図形２０５の模様を斜線で示した。両者が重なっている部分は、時間軸圧縮後のオーディオデータを示す表示図形２０６を示す白色で表示している。しかしながら、これに限定されるものではなく、重なっている部分は両者の色や模様を重ねて表示したり、一方を点線で表示したりしてもよい。
【００３６】
また、時間軸圧縮前のオーディオデータを示す表示図形２０５と時間軸圧縮後のオーディオデータを示す表示図形２０６の表示位置は、時間軸圧縮前のオーディオデータの先頭からの記録位置と時間軸圧縮後のオーディオデータの記録位置を表示してもよいし、両者の先端の部分、中央の部分または後端の部分のいずれかを一致させて表示するようにしてもよい。
【００３７】
図２（ｂ）は、オーディオデータ表示部２０２に表示されている表示図形２０４のうち、オーディオデータの先頭からの時間が１時間３０分１秒５５フレーム付近にある表示図形が示すオーディオデータに時間軸伸張が施され、当該表示図形上にカーソル２０９が位置した場合の表示状態を示す。図２（ｂ）に示すように、オーディオデータの先頭からの時間が１時間３０分１秒５５フレーム付近にある表示図形（時間軸伸張後のオーディオデータを示す表示図形２０７）上にカーソル２０９が位置すると、制御部１０２は内蔵するメモリに記憶した当該表示図形２０７が示すテイクのオーディオデータの編集リストを参照し、既に表示されていた時間軸伸張後のオーディオデータを示す表示図形２０７と共に、時間軸伸張前のオーディオデータを示す表示図形２０８を同時に表示させる。
【００３８】
また、時間軸伸張後のオーディオデータを示す表示図形２０７及び時間軸伸張前のオーディオデータを示す表示図形２０８の色又は模様、表示位置等については、前述した時間軸圧縮前後のオーディオデータの表示図形の表示と同様にすることができる。
【００３９】
以上、本実施例のオーディオデータ編集装置によれば、時間軸圧縮伸張が施されているオーディオデータを示す表示図形上にカーソルが位置したとき、当該表示図形と共に時間軸圧縮伸張が施される前の状態のオーディオデータを示す表示図形を同時に表示する。本実施例のオーディオデータ編集装置においては、別の画面を開くことなく、時間軸圧縮伸張の有無及び時間軸圧縮伸張がどの程度施されたか等を短時間で容易に確認することができ、編集作業を迅速に行うことができる。
【００４０】
【発明の効果】
簡単な操作でオーディオデータについて時間軸圧縮伸張が施されているか否かを容易に確認することができるオーディオデータ編集装置を提供することができる。
【図面の簡単な説明】
【図１】本発明のオーディオデータ編集装置の一実施例の要部構成を示す図。
【図２】本実施例のオーディオデータ編集装置において同時表示モードが選択されたときの表示部に表示される編集画面の表示を説明するための図。
【符号の説明】
１０１  操作部
１０２  制御部
１０３  編集部
１０４  プレーヤ
１０５  レコーダ
１０６  ハードディスクドライブ（ＨＤＤ：Ｈａｒｄ  Ｄｉｓｃ  Ｄｒｉｖｅ）
１０７  ＤＳＰ（Ｄｉｇｉｔａｌ  Ｓｉｇｎａｌ  Ｐｒｏｃｅｓｓｏｒ）処理部
１０８  ＲＡＭ（Ｒａｎｄｏｍ  Ａｃｃｅｓｓ  Ｍｅｍｏｒｙ）
１０９  バス
１１０  表示部
１１１  切換スイッチ
１１２  圧縮伸張指示部
１１３  圧縮伸張部
２０１  編集画面
２０２  オーディオデータ表示部
２０３  時間表示窓
２０４  表示図形
２０５  時間軸圧縮前のオーディオデータを示す表示図形
２０６  時間軸圧縮後のオーディオデータを示す表示図形
２０７  時間軸伸張後のオーディオデータを示す表示図形
２０８  時間軸伸張前のオーディオデータを示す表示図形
２０９  カーソル
【図１】
0003615456.tif 000002
【図２】
0003615456.tif 000003